(57)【特許請求の範囲】
【請求項１】
袋状に折り返されて二重に形成されて間に隙間を有し、収縮力があって着用される人体の手首に密着される服飾材からなり、手首の周回方向に伸縮自在な左右の袖口と、
着用される人体の肩から脚にかけての周囲をおおい、着用される人体の脚部分まで伸びた丈を有し、前開き可能な胴回りと、
この胴回りから左右に突出して上記袖口につながり、着用される人体の左右の腕の周囲をおおう袋状の左右のそでと、
上記胴回りの左右の前身頃を所定幅で重ねて掛止し、胴回り方向に沿って複数離間されて設けられた複数の掛止手段と、
この複数離間されて設けられた複数の掛止手段の離間幅をほぼ有し、上記左右の前身頃の所定幅で重ねられた合わせのおくみと、
着用される人体の首回りに対して伸縮自在である布で作られた襟回りであって、袋状に折り返されて二重に形成され、間に隙間を有する服飾材からなる襟回りと、
この襟回りと同様に、袋状に折り返されて二重に形成されて間に隙間を有する服飾材からなり、上記おくみに一体的に繋がる、当該おくみとほぼ同じ幅を有するとともに上記襟回りより幅が広く、左右が重ねあわされ、収縮力があって互いに密着される、上記襟回りの先端部分の襟先であって、この襟先と上記おくみとの境界は、上記左右両そでの両脇部分の上記胴回りとの境界の両最下点を結ぶ線より上にあることを特徴とする丹前。
【請求項２】
前記丹前を作る布材が、二枚の布で綿又は保温材を間に挟んだものか、複数の布を重ね合わせ縫いしたものか、この布は綿、毛皮又は羊毛であることを特徴とする請求項１記載の丹前。
【請求項３】
上記襟回りの首回り部分の掛襟は折り返され、この掛襟は上記おくみに向かって細くなっており、  当該襟回りの上記襟先の幅は、当該襟回りの首回り部分の幅より大きいことを特徴とする請求項１又は２記載の丹前。
【発明の詳細な説明】
【０００１】
【発明の属する技術分野】
本発明は、防寒及び機能性等を高めた丹前に関する。
【従来の技術】
【０００２】
従来、和装の防寒着として褞袍等が広く用いられている。このような褞袍は、一般的に、丈が比較的短く、かつ袖口が一般的な着物と同じように開口されている。しかも着物全体が、二枚の布地で綿を挟んだ「綿入れ」で作られているが、着脱時に開閉される左右の前身頃を互いに止めるのに、簡単な紐や帯が用いられるのが一般的である。
【０００３】
【発明が解決しようとする課題】
しかしながら、従来の褞袍では、上記されたように、袖口及び左右の前身頃の合わせ目部分は、開放度合いが高いため、外気と褞袍内空気との入れ替わりが比較的容易に行われる。よって、綿入れによって保持された人体表面近傍の暖かい空気が、容易に袖口または前身頃の合わせ目から飛散され、人体への保温性が高く保持されているとはいえない。
【０００４】
また、従来の褞袍で、前身頃を帯び等で完全に閉じることも考えられるが、この場合、着用者の機能動作を著しく阻害する虞がある。さらに、褞袍は、丈が短く、装飾的な外観が低い。
【０００５】
本発明は、上述した課題を解決するためになされたものであり、保温性を高めると共に、着用者の機能動作を十分に確保できる丹前を提供する。
【０００６】
【課題を解決するための手段】
上記目的を達成するために、本発明は、襟回りがゆったりとされた広襟で、しかも、そで全体に丸みが付与されると共に、ジャージゴム編みニットを用いて袖口が作られている。さらに、丹前（褞袍又は着物風ガウン）全体が綿入れでゆったりと作られると共に、左右の前身頃が複数のスナップで十分に重ね合わせて掛止させる。また、左右の前身頃をボタンで掛止させて、前身頃が容易に開放することを防止させた。
【０００７】
これにより、袖口及び左右の前身頃の合わせ目から空気が容易に流出入することが防止される。しかも、着用者の機能動作が十分に確保された。
【０００８】
【発明の実施の形態】
１．構成
図１には、本発明に係る男性用の丹前１が示されている。図２には、この丹前１のおくみ１５部分が開放された外観が示されている。本発明に係る丹前は、男性用及び女性用それぞれで、デザインに若干の変更が施されている。なお、女性用の丹前は、図６に示されている。また、本発明に係る丹前は、褞袍、着物風ガウン等を含む、丈のやや長い羽織又は外套形式の衣服である。
【０００９】
図１に示されるように、本発明の丹前１は、綿（合繊綿）、羽毛、ウール、又は保温性に優れた合成繊維等の保温材が二枚の布の間に挟み込まれた布（綿入れ、キルティング布等の防寒材）で作られている。しかも、身丈３がほぼ一般的な着物と同じか、又はやや短く作られている。よって、丹前１が着用されたとき、丹前１のすそ５が、着用者のくるぶしから膝の間の高さに位置される。
【００１０】
また、女性用の丹前には、「お端折」が付加されていないので、男性用、女性用何れの丹前でも、身丈３がそのまま着丈にほぼ等しくされる。
【００１１】
丹前１の襟７は、伸縮性があり、しかも弱めの弾力性を持つ、ジャージゴム編みニット生地又はギャザ（伸縮自在の布）で作られている。図３には、このジャージゴム編みニット生地４５が示されている。このジャージゴム編みニット生地４５は、繊維糸と、糸状の弾性材（ゴム、天然ゴム、合成ゴム又はゴム繊維等）とが、蛇腹５５を形成するように襞状に織られた布地である。よって、弾性材の働きで、織り目方向に伸縮可能であるが、特に、蛇腹５５に対して横方向（図３の矢印４７方向）により自由に伸縮される。
【００１２】
また、ジャージゴム編みニット生地４５は、折り返し部４９で折り返され、上布５１と下布５３とが重ねられて使用される。これにより、襟７回りは、袋状に折り返されて二重に形成され、間に隙間を有する服飾材からなっている。襟７では、上部の掛襟９部分が外側に折り返されている。つまり、図３の折り返し部４９が、襟７における人体の首回りに接する部分にあたる。
【００１３】
しかもこの襟７は、一般的な着物の襟幅より、２倍ほど幅広の広襟に作られている。さらに、襟７の襟先１１部分（図１参照）は、前身頃１３のおくみ１５と一体的に縫製されている。なお、襟７の生地には、パイル織生地又はフェルト生地又は毛皮などの柔らかい生地が用いられてもよい。
【００１４】
襟先１１は、上記されたように、おくみ１５と一体的に縫製されているので、折り返された襟７の襟先１１部分は先細りに形作られる。図４に、掛襟９部分が外側に折り返されたときの丹前１の外観が示されている。折り返された襟７の先端部１７は、掛襟９から襟先１１へ向けて徐々に細く形作られる。
【００１５】
また、内側の前身頃１９に繋がる襟７の襟先１２部分（図２参照）も、上記襟先１１と同じように、内側の前身頃１９のおくみ１６と一体的に縫製されている。おくみ１５（表側の前身頃１３）の側端上面には、棒状に装飾されたボタン２１、２３が設けられている。そして、このボタン２１、２３と係合されるリング状の係り紐２２、２４が内側の前身頃１９表面に縫いつけられている。これらボタン２１、２３と係り紐２２、２４とによって、前身頃１３と前身頃１９とが掛け止めされる。さらに、前身頃１９のおもて面と、前身頃１３の内側の面には、これら前身頃１９と前身頃１３とを掛止する複数のスナップ２５が取り付けられている。
【００１６】
この複数のスナップ２５によって表側の前身頃１３と内側の前身頃１９とが掛止されることで、着用された丹前１全体の型くずれが防止されると共に、外気の進入が防止される。さらに、ボタン２１、２３と係り紐２２、２４とが係合されることで、前身頃１３が容易には開放されない。つまり、ボタン２１、２３と係り紐２２、２４とで、より確実に前身頃１３が前身頃１９に掛止される。
【００１７】
また、そで２７は、その袖幅２９が若干長く形成されており、丹前１が人体に着用されたとき、このそで２７全体がゆったりと弛む様に形成されている。しかも、袖下３１には丸みが持たされて、船底袖のように作られている。つまり、そで２７全体が袋状に作られている。そして、袖口（カフス）３３は、襟７と同じように、伸縮自在の布である襞状のジャージゴム編みニット生地４５又はギャザが二重に重ねられた後、円筒状に形成されている。
【００１８】
つまり、ジャージゴム編みニット生地４５の折り返し部４９（図３参照）が、袖口３３の開口部となるように作られている。したがって、図３の矢印４７方向が人体の手首の周回方向に配される。これにより、ジャージゴム編みニット生地４５のより良く伸縮する方向が、手首回りに周回するので、ジャージゴム編みニット生地４５がより強く手首に密着される。これにより、袖口３３は、袋状に折り返されて二重に形成され、間に隙間を有する服飾材からなっている。
【００１９】
よって、丹前１が人体に着用されたとき、袖口３３が確実に着用者の手首に密着される。しかも、そで２７が袋状にゆったりと作られているので、丹前１着用者の腕の動作を妨げないにもかかわらず、袖口３３のずれが防止される。結果、袖口３３からの外気の進入が防止されるので、人体の保温性が高く保たれる。逆に、袖口３３に使用される布地は、袖口３３を着用者の手首に掛止できるだけの最低限の収縮力があればよく、本発明はジャージゴム編みニット生地４５に限定するものではない。
【００２０】
図５は、人体に着用された丹前１の外観を示す。この図５に示されるように、左右の前身頃１３及び前身頃１９がスナップ２５によって、おくみ１５部分（所定幅）で重ねられつつ掛止される。さらに、ボタン２１、２３によって前身頃１３が前身頃１９に確実に繋ぎ止められる。
【００２１】
したがって、前身頃１３と前身頃１９との合わせ部分からの、外気の進入が防止され、着用者の体温保持がより確かなものとされる。また、そで２７が袋状に形成されているので、着用者の腕の動きを妨げない。しかも、胴回り部分が、帯または紐等による締め込みが行われていないので、着用者の上半身及び腰回りの動作に支障を与えることがない。さらに、丹前１のすそ５は、着用者のくるぶし３５よりやや上方に位置されるが、裾回りが広く開放されているので、着用者の足の動きを妨げる虞がない。
【００２２】
図６は、本発明に係る女性用の丹前２を示す。女性用の丹前２の場合、そで２７が前身頃に縫いつけられる袖付け３７の下端に、切り欠き３９が設けられている。つまり、袖付け３７の下で、前身頃１３と後ろ身頃との縫い目である脇縫い４３部分に開口部である身八つ口４１が設けられている。この身八つ口４１に対面する袖下３１部分にも同様の開口部が設けられて「振り」が形成されている。なお、他の袖口３３、そで２７、襟７、前身頃１３、前身頃１９及びボタン２１、２３の形状は、上記男性用の丹前１と同形状に作られている。
【００２３】
なお、女性用の丹前２で、上記身八つ口４１及び袖下３１部分の開口部が無くても良い。つまり、袖付け３７の下に切り欠き３９のみが設けられていてもよいし、この切り欠き３９自体が無くても良い。
【００２４】
上記されたように、本発明の丹前１は、襟７が幅広に作られると共に、襟７で形成される襟回り全体がゆったりと作られている。しかも、そで２７全体が丸みを持って作られていると共に、襟７及び袖口３３が襞状の伸縮自在の布であるジャージゴム編みニット生地又はギャザで作られている。このため、人体の手首により良くフィットされる。したがって、丹前１の人体への着脱が極めて容易であると共に、着用者の動きを妨げることがない。
【００２５】
さらに、丹前１全体が綿入れ等の布でゆったりと作られているので、着用者の作業時の自由な動きが十分に確保される。しかも、すそ５部分は、開放されているので、着用者の足の動きを何ら妨げることがない。また、腰回りについても、何らかの帯等で締められていないので、着用者の体の動きを妨げる虞がない。加えて、丹前１全体が、綿入れ等の防寒材で作られているので、着用者の体温の保持に十分な効果があるので、丹前１の下に薄手の衣服のみですませることもできる。
上記丹前１の腰部分には、腰部分の回りを締めるバンド（図示せず）が設けられていてもよい。このバンドをしめることによって、前身頃１３、１９が閉じられる。この場合、ボタン２１，２３、係り紐２２，２４は省略される。
【００２６】
本発明は上記実施例に限定されず、本発明の趣旨を逸脱しない範囲で種々変更可能である。例えば、襟７の襟幅は、「ばち襟」等のように、襟幅が上記実施例の「広襟」より狭く作られても良い。しかも、この襟７の材質につても、毛皮又は起毛された布や、パイル織り（服飾材）の布等が用いられても良い。
【００２７】
また、丹前１全体を作る布の材質についても、綿、木綿又は、カシミヤ、ウール等の羊毛や、絹又は、ミンク、ラクダなどの毛皮、動物繊維、植物繊維、合成繊維など如何なる材質の布で作られても良い。例えば、上記綿入れに代えて、綿布を重ね合わせて縫い合わせた刺し子等が用いられてもよい。
【００２８】
さらに、ベルベット、プラッシュ、コーデュロイ、タオル地などのパイル織や、起毛処理された布、毛皮等が防寒用の裏布地として用いられても良い。つまり、丹前１の表生地及び裏生地の材質等、使用される防寒材について、本発明は特に限定しない。よって、丹前１の生地を綿入れでなく、やや薄手のものとし、春、秋などの温暖な気候や夏でも着用可能としてもよい。
【００２９】
また、袖口３３の形状についても本発明は特に限定するものではなく、ボタン留めや、紐締め、ベルト締め、剥離と付着が容易な面状ファスナで係合される袖口等であってもよい。さらに、丹前１の表生地の模様についても、本発明では特に限定するものではなく、絣模様、タータンチェック等の模様や、風景、花、樹木又は昆虫などの絵柄がデザインされた模様でもよい。つまり、留め袖や振り袖に用いられる絵柄が付けられても良い。
【００３０】
さらにまた、ボタン２１、２３の形状についても、本発明は特に限定するものではなく、足つきのボタンや、クルミ型のボタン、簡単に結び紐など、如何なるものでも良い。スナップ２５（掛止手段）についても、一般的なボタンや、面状ファスナ等が利用されてもよい。身丈３についても、上記実施例より短くてもよく、すそ５が、着用者の膝近傍か又は、膝上位置にあってもよい。
出願当初の特許請求の範囲は以下の通りであった。
[１]着用される人体の腕に密着する腕の周回方向に伸縮自在である布で作られた袖口と、  着用される人体の肩から脚にかけての周囲をおおう胴回りと、  着用される人体の首回りに対して伸縮自在である布で作られた襟回りとからなることを特徴とする丹前。
[２]上記袖口または襟回りは、袋状に折り返されて二重に形成され、間に隙間を有する服飾材からなり、  上記胴回りは前開き可能となっていて、この胴回りには左右の前身頃を所定幅で重ねて掛止する掛止手段が設けられ、  上記胴回りは、着用される人体の脛部分まで伸びた丈とを備えたことを特徴とする請求項１記載の丹前。
[３]前記丹前を作る布材が、二枚の布で綿又は保温材を間に挟んだものか、複数の布を重ね合わせ縫いしたものか、この布は綿、毛皮又は羊毛であることを特徴とする請求項１又は２記載の丹前。
【００３１】
【発明の効果】
以上詳述したように、本発明は、襟回りが広く開口して作られていると共に、胴回りを締める帯がなく、かつ、すそ部分が開放されている。しかも、そでが袋状に形成されると共に、袖口部分のみが人体に掛止されているので、着脱が容易であると共に、着用者の体の動作を妨げることがない極めて機能性及び作業性の高い丹前（褞袍、着物風ガウン）とすることができる。また、本発明の丹前全体が保温性の高い生地で作られていると共に、表側の前身頃と内側の前身頃とが、十分な幅（おくみ部分）で重ね合わされつつ、ボタン（スナップ）などの簡便な着脱手段で掛止されているので、着脱が容易であるにもかかわらず、高い防寒性を保持できる。さらに、表地に色々な模様を付すと共に、装飾性の高いボタンで前身頃を止めるので、審美性が高くなる等の効果を奏する。
【図面の簡単な説明】
【図１】  本発明に係る丹前１の外観を示す。
【図２】  前身頃が開けられた丹前１の外観を示す。
【図３】  ジャージゴム編みニット生地４５の外観を示す。
【図４】  襟７部分が折られた丹前１の外観を示す。
【図５】  丹前１の着用の様子を示す。
【図６】  女性用の丹前２の外観を示す。
【符号の説明】
１…丹前、２…丹前、３…身丈、５…すそ、７…襟、９…掛襟、１１…襟先、１３、１９…前身頃、１５、１６…おくみ、１７…先端部、２１、２３…ボタン、２２、２４…係り紐、２５…スナップ、２７…そで、２９…袖幅、３１…袖下、３３…袖口、３５…くるぶし、３７…袖付け、３９…切り欠き、４１…身八つ口、４３…脇縫い、４５…ジャージゴム編みニット生地、４７…矢印、４９…折り返し部、５１…上布、５３…下布。
【図１】
0004282169.tif 000002
【図２】
0004282169.tif 000003
【図３】
0004282169.tif 000004
【図４】
0004282169.tif 000005
【図５】
0004282169.tif 000006
【図６】
0004282169.tif 000007